(57)【特許請求の範囲】
【請求項１】
装置機枠内のフィルム引出機構によりフィルムロールから引出されたフィルムを張架し、該フィルムにより被包装物の包装を行う包装部を備える包装装置であって、
前記包装部より上方に設けられ、前記装置機枠内に、フィルムロール保持部により着脱自在に保持されたフィルムロールを収容するフィルムロール収容部と、
上方へ移動自在に配置された可動式の表示部と、を有し、
前記フィルムロールから引き出されたフィルム先端を掛止するフィルム初期セット部と前記可動式の表示部との間に前記フィルムロール収容部が設けられていることを特徴とする包装装置。
【請求項２】
前記表示部の開閉状態を検知する検知部を有し、
前記検知部により前記表示部の開状態が検知された場合、前記包装部による包装動作を停止することを特徴とする請求項１に記載の包装装置。
【請求項３】
前記表示部が閉状態となる場合、該表示部が前記フィルムロールセット軸の把持部を覆う位置に配置されることを特徴とする請求項２に記載の包装装置。
【発明の詳細な説明】
【技術分野】
【０００１】
本発明は、包装装置に関する。
【背景技術】
【０００２】
フィルムにより被包装物を包装する包装装置であって、本体上部にフィルムロールを露出状態で配置した包装装置が知られている。
特許文献１には、本体の中央部付近に包装部が設けられ、本体内の左右両側の下部付近にフィルムロールが配置されている包装装置が開示されている。
【先行技術文献】
【特許文献】
【０００３】
【特許文献１】特開２００４−２６２５１３号公報（第１図）
【発明の概要】
【発明が解決しようとする課題】
【０００４】
しかしながら、本体上部にフィルムロールを露出状態で配置した包装装置は、フィルムへの塵などの付着が生じる場合がある。また、この包装装置では、フィルムロールセット時、操作者が重いフィルムロールを持ち上げて、比較的高い位置の本体上部にセットすることを要する。
【０００５】
特許文献１に記載の包装装置は、本体内の左右両側の下部付近に配置されたフィルムロールから、フィルムを上方に引き出して包装部に搬送する搬送機構を要するので、複雑な構造を有する。
【０００６】
本発明は、上述した問題に鑑みてなされたもので、フィルムロールへの塵などの付着を防止し、簡単な構造で、フィルムロールを容易に交換することができる包装装置を提供すること、小型化が可能な包装装置を提供すること、などを目的とする。
【課題を解決するための手段】
【０００７】
本発明の包装装置は、装置機枠内のフィルム引出機構によりフィルムロールから引出されたフィルムを張架し、該フィルムにより被包装物の包装を行う包装部を備える包装装置であって、前記包装部より上方に設けられ、前記装置機枠内に、フィルムロール保持部により着脱自在に保持されたフィルムロールを収容するフィルムロール収容部と、上方へ移動自在に配置された可動式の表示部と、を有し、前記フィルムロールから引き出されたフィルム先端を掛止するフィルム初期セット部と前記可動式の表示部との間に前記フィルムロール収容部が設けられていることを特徴とする。
上記包装装置によれば、フィルムロール収容部が、装置機枠内にフィルムロールを収容するので、フィルムロールへの塵などの付着を防止する。
また、上記包装装置によれば、可動式の表示部が、上方へ移動自在に構成されており、包装部による包装動作時、フィルムロール交換時など、表示部を適宜移動可能である。このため、フィルムロールを容易に交換することができ、且つ、包装装置を小型化することができる。
【０００８】
また、本発明の包装装置は、前記フィルムロール保持部がフィルムロールセット軸を有する。また、前記フィルムロールセット軸は、その一端が前記装置機枠の一方の側面側に軸支され、前記開口部側に向けて水平回動自在に構成されていることを特徴とする。
上記包装装置によれば、フィルムロールセット軸が水平回動自在に構成されているので、簡単な構造で、フィルムロールを容易に交換可能である。また、小型の包装装置を提供することができる。
【０００９】
また、本発明の包装装置は、表示部が、フィルムロール収容部の開口部よりも上方に移動自在に設けられていることを特徴とする。すなわち、包装動作時、表示部をフィルムロール収容部の開口部側に配置し、フィルムロール交換時、表示部をその開口部よりも上方に移動させることで、容易にフィルムロールを交換することができ、且つ、包装装置を小型化することができる。
【００１０】
また、本発明の包装装置は、前記フィルムロール収容部の前記開口部に対する前記表示部の開閉状態を検知する検知部を有し、前記検知部により前記表示部の開状態が検知された場合、前記包装部による包装動作を停止することを特徴とする。
上記包装装置によれば、検知部により表示部の開状態が検知された場合、包装部による包装動作を停止するので、フィルムロール交換時など、包装装置の操作者が表示部を上方に移動させた場合、包装部による包装動作が停止した状態となり、安全に且つ容易にフィルムロールを交換することができる。
【００１１】
また、本発明の包装装置は、表示部が前記開口部に対して閉状態となる位置に位置する場合、前記フィルムロールセット軸の前記開口部側に向けた水平回動動作を規制する規制部を有することを特徴とする。
上記包装装置によれば、表示部が開口部に対して閉状態となる位置に位置する場合、上記規制部がフィルムロールセット軸の水平回動動作を規制することで、包装部による包装動作時など、フィルムロールセット軸を表示部に非接触とすることができる。
【００１２】
また、本発明の包装装置は、前記表示部が前記開口部に対して閉状態となる場合、該表示部が前記フィルムロールセット軸の把持部を覆う位置に配置されることを特徴とする。
上記包装装置によれば、表示部がフィルムロールセット軸の他端の把持部を該表示部により覆う位置に配置されるので、包装部による包装動作時など、包装装置の操作者が、フィルムロールセット軸を誤って動かすことなどを防止することができる。
【００１３】
また、本発明の包装装置は、前記表示部が前記開口部に対して開状態の場合、前記フィルムロールの交換の仕方を示す説明表示部が露出することを特徴とする。
上記包装装置によれば、フィルムロール交換時など、表示部が前記開口部に対して開状態の場合、フィルムロールの交換の仕方を示す説明表示部が露出するので、操作者などがその説明表示部を見て、フィルムロールの交換の仕方を確認することができる。つまり、容易にフィルムロールを交換することができる。
【発明の効果】
【００１４】
本発明によれば、フィルムロールへの塵などの付着を防止し、簡単な構造で、フィルムロールを容易に交換することができる包装装置を提供することができる。また、本発明によれば、小型化が可能な包装装置を提供することができる。
【図面の簡単な説明】
【００１５】
【図１】本発明の実施形態に係る包装装置の表示部を備える表示操作パネルが初期位置に位置した状態（包装動作時）の一例を示す斜視図。
【図２】本発明の実施形態に係る包装装置の表示操作パネルが上方に位置した状態（フィルムロール交換時）の一例を示す斜視図。
【図３】本発明の実施形態に係る包装装置の側面断面図。
【図４】本発明の実施形態に係る包装装置の動作の一例を示す側面図、（ａ）は表示操作パネルが初期位置（閉位置）に位置した状態（包装動作時）の一例を示す図、（ｂ）は表示操作パネルが上方に位置した状態（開位置、フィルムロール交換時）の一例を示す図。
【図５】本発明の実施形態に係る包装装置のフィルムロールセット軸の動作の一例を示す図であり、（ａ）はフィルムロールセット軸を装置機枠内に固定した状態の包装装置の上面図、（ｂ）はフィルムロール交換時フィルムロールセット軸を前面側に引き出した状態の包装装置の上面図。
【発明を実施するための形態】
【００１６】
本発明の実施形態に係る包装装置１００について、図面を参照しながら説明する。
【００１７】
図１は本発明の実施形態に係る包装装置１００の表示部７０を備える表示操作パネル７２が初期位置に位置した状態（包装動作時）の一例を示す斜視図、図２は包装装置１００の表示操作パネル７２が上方に位置した状態（フィルムロール交換時）の一例を示す斜視図、図３は包装装置１００の側面断面図である。
【００１８】
図１、図２、図３に示したように、包装装置１００は、筐体としての装置機枠３の正面（前部）に設けられた搬入部１０１、機枠内に設けられた搬送部１０２、装置機枠３内に設けられたフィルム引出部（フィルム引出機構）１０３、装置機枠３の上面に設けられた包装部１０４、被包装物を取り出す取出部１０５、取出部１０５より前面側に設けられたヒーター１０６、包装装置１００の上部に設けられた可動式の表示操作パネル７２、などを有する。表示部７０の背面側の装置機枠３の内部に、フィルムロールｅを収容するフィルムロール収容部Ｅが設けられている。フィルムロール収容部Ｅの上方には蓋部３ｄが設けられている。表示操作パネル７２は、操作部６７や表示部７０などを有する。
【００１９】
また、装置機枠３は、下部３ａに搬送部１０２などが設けられ、中間部３ｂにフィルム引出部１０３、包装部１０４、取出部１０５などが設けられ、上部３ｃに表示操作パネル７２、フィルムロール収容部Ｅなどが配置されている。フィルムロール収容部Ｅは、包装部１０４より上方に形成され、装置機枠３内に、フィルムロールセット軸１１０を有するフィルムロール保持部Ｈにより着脱自在に保持されたフィルムロールｅを収容する。
【００２０】
また、フィルムロール収容部Ｅは、背面側および両側面側が装置機枠３の板部材で覆われ、上面側が板部材で形成された蓋部３ｄにより覆われている。また、フィルムロール収容部Ｅは、前面側にフィルムロールｅを交換可能な大きさの開口部Ｅｐが形成されている。
【００２１】
搬入部１０１には、被包装物１（商品）が載置される。搬入部１０１は、計量部５と、計量部５に接続された被包装物載置台Ａと、を有する。計量部５は、被包装物載置台Ａに載置された被包装物１の計量を行う。
【００２２】
搬送部１０２は、搬送台Ｃと、搬送台Ｃを駆動する駆動機構Ｄと、を有する。駆動機構Ｄは、装置機枠３内の下部に設けられ、搬送台Ｃを水平方向および垂直方向に移動自在に支持している。
【００２３】
フィルム引出部１０３は、フィルムロールｅのフィルム２の先端を掴んで、水平方向に包装部１０４の所定位置まで引き出すとともに、フィルム２を緊張させた状態で保持する前側グリッパーＦと、フィルム２の後端を掴んで緊張させた状態で保持する後側グリッパーＧと、前側グリッパーＦをタイミングベルト１３を介して前後方向に駆動するモーター１１と、後側グリッパーＧをタイミングベルト１４を介して前後方向に駆動するモーター（不図示）と、フィルム２をカットするカッターＫと、などを有する。
【００２４】
包装部１０４では、前側グリッパーＦと、後側グリッパーＧと、左右グリッパー（不図示）とがフィルム２を所定量だけ緊張した状態で、駆動機構Ｄが搬送台Ｃ上の被包装物１を突き上げ、被包装物１の上面をフィルム２で覆わせ、前後折込み装置の折込み板１５および左右の折込装置の折込み板２０によりフィルム２の端部を被包装物１の底部に折込む。
【００２５】
取出部１０５は、フィルム２により包装された被包装物１を取り出す箇所である。
ヒーター１０６は、図１、図２に示したように、取出部１０５より前側の板状部材に備えられ、通電により加熱されている。このヒーター１０６に被包装物１を包むフィルム２の折込み代が押し当てられることにより、被包装物１の底部のヒートシールが行われる。
【００２６】
操作部６７は、図１に示したように、操作キー、タッチパネルなどを有する。
表示部７０は、包装処理に関する画面、メッセージ、記憶部（不図示）に記憶されている各種データなどを適宜表示する。
【００２７】
次に、上記包装装置１００の動作の一例を説明する。
搬入部１０１に、トレイ上に商品を配置した被包装物１が載置される。駆動機構Ｄが搬送台Ｃを搬入部１０１へと水平移動させた後、駆動機構Ｄが搬送台Ｃを搬入部１０１で上方へ垂直移動させ、搬入部１０１から被包装物１を受け取る。
【００２８】
駆動機構Ｄは、被包装物１を上面に載置した搬送台Ｃを、包装部１０４の下方へ移動させる。駆動機構Ｄは、搬送台Ｃを包装部１０４の下方から、包装部１０４のフィルム２に向けて上方へ垂直移動させる。
駆動機構Ｄは、搬送台Ｃ上の被包装物１を包装部１０４に突き上げ、その被包装物１の上面をフィルム２で覆わせる。そして、前後折込み装置の折込み板１５，左右の折込み装置の折込み板２０が、フィルム２の端部を被包装物１の底部に折り込む。操作者は、被包装物の底部に折り込まれたフィルム２の底端部をヒーター１９に押圧して、被包装物１に対してヒートシールを行う。
包装装置１００は、上述した製造工程により、被包装物１の包装処理を完了する。
【００２９】
次に、本発明の実施形態に係る包装装置１００の表示部７０や操作部６７を備えた表示操作パネル７２、フィルムロール収容部Ｅなどに関して、詳細に説明する。
【００３０】
図４は、本発明の実施形態に係る包装装置１００の動作の一例を示す側面図であり、詳細には、図４（ａ）は表示操作パネルが初期位置（閉位置）に位置した状態（包装動作時）の一例を示す図、図４（ｂ）は表示操作パネルが上方に位置した状態（開位置、フィルムロール交換時）の一例を示す図である。
【００３１】
図１〜図４に示したように、本発明の実施形態に係る包装装置１００は、筐体としての装置機枠３に、可動式の表示操作パネル７２が設けられている。
【００３２】
＜表示操作パネル７２＞
詳細には、表示操作パネル７２は、矩形状に形成され、装置機枠３の上面に設けられた包装部１０４よりも上部に設けられている。表示操作パネル７２は、支持部材８０により筐体としての装置機枠３に支持されている。本実施形態に係る支持部材８０は、詳細には、２つの棒状の支持部材８０を有する。本実施形態では、板状の蓋部３ｄが２つの棒状の支持部材８０に固定されている。
【００３３】
２つの棒状の支持部材８０は、一方の端部８０ａまたは端部付近が、装置機枠３上部の背面側付近に形成された回動軸８０ｃに回転自在に設けられ、他方の端部８０ｂが表示操作パネル７２に接続されている。
【００３４】
図４（ａ）に示したように、表示操作パネル７２が閉状態の場合、支持部材８０はその長手方向が水平となるように配置されている。表示操作パネル７２は、表示部７０の表示面が前方に対して斜上方向に傾斜して、支持部材８０の端部８０ｂに設けられている。
図４（ｂ）に示したように、表示操作パネル７２が開状態の場合、支持部材８０は、回動軸８０ｃを中心に上方に向けて回転した位置となる。
【００３５】
＜エアダンパー等＞
また、包装装置１００は、図４（ａ）、図４（ｂ）に示したように、支持部材８０と筐体としての装置機枠３との間に、バネ部材、エアダンパーなどの付勢手段１６０（緩衝部を有してもよい）を備え、表示操作パネル７２（表示部７０等）を開状態または閉状態の位置に僅かな人力で移動可能に構成されていてもよい。また、支持部材８０の長手方向が略水平方向となる状態、且つ、外力のない状態で、表示操作パネル７２が閉状態の位置に移動するように、包装装置１００が構成されていることが好ましい。
【００３６】
＜表示操作パネル７２のロック機構＞
また、包装装置１００は、包装動作時など、表示操作パネル７２が閉状態の位置で保持するように、係止具などのロック機構（不図示）を有してもよい。このロック機構は、フィルムロール交換時など、係止具のロックを解除することで、表示操作パネル７２の上方向への移動が可能となるように構成されている。
【００３７】
＜フィルムロールセット軸１１０＞
図５は、包装装置１００のフィルムロールセット軸１１０の動作の一例を示す図であり、図５（ａ）はフィルムロールセット軸１１０を装置機枠内に固定した状態（包装動作時）の包装装置１００の上面図、図５（ｂ）はフィルムロール交換時、フィルムロールセット軸１１０を前面側に引き出した状態の包装装置１００の上面図である。
【００３８】
フィルムロール保持部Ｈは、フィルムロールセット軸１１０を有する。フィルムロールセット軸１１０は、その一方の端部１１０ａが装置機枠３の一方の側面側３Ｒに支持用回転軸１１０ｃにより軸支され、フィルムロール収容部Ｅの開口部Ｅｐ側に向けて水平回動自在に構成されている。装置機枠３の他方の側面側３Ｌに、フィルムロールセット軸１１０の他方の端部１１０ｂを支持する軸受部３Ｈが形成されている。この端部１１０ｂには、把持部１１０ｄが設けられている。
本実施形態では、装置機枠３の他方の側面側３Ｌの板部材に、包装装置１００の前面側に向けて開口した形状の切欠部３Ｋが形成されている。その切欠部３Ｋの底面側には軸受部３Ｈとしての２つの小径の軸受ローラー３Ｈａ，３Ｈｂが水平に所定間隔で並べて設けられている。すなわち、包装装置１００は、この軸受ローラー３Ｈａ，３Ｈｂ上にフィルムロールセット軸１１０を配置可能に構成されている。
【００３９】
＜フィルムロール収容部Ｅの開口部Ｅｐ＞
フィルムロール収容部Ｅは、包装部１０４より上方に形成され、装置機枠３内に、フィルムロール保持部Ｈにより着脱自在に保持されたフィルムロールｅを収容している。また、フィルムロール収容部Ｅは、前面側に開口部Ｅｐが形成されている。
＜検知部１４０＞
また、包装装置１００は、フィルムロール収容部Ｅの開口部Ｅｐに対する表示操作パネル７２（表示部７０等）の開閉状態を検知する検知部１４０を有し、この検知部１４０による表示操作パネル７２（表示部７０等）の開状態が検知された場合、包装部１０４による包装動作を停止するように構成されている。
【００４０】
本実施形態では、検知部１４０は、図４（ａ）、図４（ｂ）に示したように、装置機枠３の上部にスイッチ１４１を備え、支持部材８０にスイッチ１４１を押圧する押圧部材１４２を備えている。検知部１４０は、表示操作パネル７２の開閉状態に応じて、押圧部材１４２によりスイッチ１４１のオン状態、または、オフ状態を切り替える。包装装置１００の制御部（不図示）は、検知部１４０により表示操作パネル７２（表示部７０等）の開状態が検知された場合、包装部１０４による包装動作を停止する制御を行う。
【００４１】
尚、検知部１４０は、上記形態に限られるものではない。例えば、検知部１４０は、支持部材８０にスイッチ１４１を備え、装置機枠３に押圧部材１４２を備えていてもよい。
【００４２】
＜規制部１５０＞
また、包装装置１００は、表示操作パネル７２（表示部７０等）が、フィルムロール収容部Ｅの開口部Ｅｐに対して閉状態となる位置に位置する場合（図４（ａ））、フィルムロールセット軸１１０の開口部側に向けた水平回動動作を規制する規制部１５０を有する。規制部１５０は、表示操作パネル７２が開状態の位置に位置する場合（図４（ｂ））、フィルムロールセット軸１１０の水平回動動作を可能となるように、規制を解除する。
【００４３】
本実施形態では、規制部１５０は、図４（ａ）、図４（ｂ）に示したように、突起部材１５１、ばね部材などの付勢部１５２、ソレノイド（不図示）などを有する。
突起部材１５１は、装置機枠３の側面側３Ｌの板部材に形成された切欠部３Ｋに設けられている。
表示操作パネル７２が開状態のとき（図４（ｂ））、制御部（不図示）は、ソレノイドに電流を入力し、ソレノイドの周囲に磁界を発生させて、金属製の突起部材１５１に、付勢部１５２による付勢方向と反対方向に、且つ、付勢部１５２の付勢力よりも大きい力を加える。金属製の突起部材１５１は、図４（ｂ）に示したように、装置底面側に移動した状態で停止し、フィルムロールセット軸１１０の水平回動動作が可能となる。
【００４４】
図４（ａ）に示したように、表示操作パネル７２が閉状態では、制御部（不図示）は、ソレノイドへの入力電流をゼロレベルとする。突起部材１５１は、付勢部１５２の付勢力により上方に移動して突起して停止した状態となり、フィルムロールセット軸１１０の水平回動動作を規制する。
【００４５】
規制部１５０は、上記実施形態に限られるものではなく、上記機能を実現できれば、他の形態であってもよい。
【００４６】
＜フィルム初期セット部材用操作レバー１２０＞
包装装置１００は、図１、図２に示したように、装置機枠３の側面側３Ｌ側に、フィルムロールセット軸１１０の把持部１１０ｄの近傍に、フィルム初期セット部材用操作レバー１２０が設けられている。
フィルム初期セット部材用操作レバー１２０は、図２に示したように、包装装置１００の前後方向、水平方向に沿って移動可能に構成されており、フィルム初期セット部材１２１を操作する。
フィルム初期セット部材１２１は、フィルムロール収容部Ｅに収容されたフィルムロールｅの近傍に設けられており、凹凸形状の先端部を有する。このフィルム初期セット部材１２１は、フィルムロール交換時、操作者により、フィルム初期セット部材１２１の先端部にフィルムが係止され、その状態でフィルム初期セット部材用操作レバー１２０が操作されると、その操作に応じて移動して、フィルムを包装部１０４へ導入するように構成されている。
【００４７】
次に、上記包装装置１００の表示操作パネル７２の開閉時の動作の一例を説明する。
【００４８】
＜閉状態＞
表示操作パネル７２が、フィルムロール収容部Ｅの開口部Ｅｐに対して閉状態のとき、図１、図４（ａ）、図５（ａ）に示したように、フィルムロールｅがフィルムロールセット軸１１０にセットされ、フィルムロールｅがフィルムロール収容部Ｅ内に収容されている。フィルムロールセット軸１１０は、水平状態で、端部１１０ｂが装置機枠３の軸受部３Ｈに保持されている。支持部材８０に設けられた押圧部材１４２によりスイッチ１４１が押圧されており、規制部１５０によりフィルムロールセット軸１１０の水平回動動作が規制され、包装部１０４により包装動作可能な状態となっている。包装装置１００は、制御部（不図示）の制御により、包装部１０４等を制御して所定の包装動作を行う。
【００４９】
＜フィルム交換時、開状態＞
次に、使用済みフィルムロールｅを、新しい未使用のフィルムロールｅに交換するとき、操作者は、包装装置１００の包装動作を停止させ、係止具などのロック機構を解除し、図２、図４（ｂ）、図５（ｂ）に示したように、表示操作パネル７２を上方に移動させる。
表示操作パネル７２（表示部７０等）がフィルムロール収容部Ｅの開口部Ｅｐに対して開状態の場合、フィルムロールｅの交換の仕方を示すステッカーなどの説明表示部１７０が露出するように構成されている。詳細には、図４（ｂ）に示したように、表示操作パネル７２が開口部Ｅｐに対して開状態のとき、表示操作パネル７２（表示部７０等）の支持部材８０の前方側の面（操作者に対向する面）に上記ステッカーなどの説明表示部１７０が露出するように設けられている。尚、支持部材８０に支持されている板状の蓋部３ｄに設けられていてもよい。操作者は、説明表示部１７０を見て、フィルム交換の仕方を確認することができる。上記ステッカーなどの説明表示部１７０は、表示操作パネル７２が開口部Ｅｐに対して閉状態のとき、外部からは見えないように配置されている。
スイッチ１４１がオフ状態となり、規制部１５０の突起部材１５１が下方に移動し、フィルムロールセット軸１１０の水平回動動作が可能となる。この状態では、包装部１０４による包装動作が禁止されている。
【００５０】
次に、操作者は、図５（ｂ）に示したように、フィルムロールセット軸１１０の把持部１１０ｄを把持して、前面側にフィルムロールセット軸１１０を水平回動させて、使用済みフィルムロールｅを、新しい未使用のフィルムロールｅに交換する。操作者は、フィルムロールセット軸１１０を水平回動させて、図５（ａ）に示したように、フィルムロールセット軸１１０の端部１１０ｂを装置機枠３の軸受部３Ｈに保持させる。
次に、操作者は、フィルム初期セット部材１２１の先端部にフィルムを係止して、その状態でフィルム初期セット部材用操作レバー１２０を操作し、その操作に応じて移動して、フィルムを包装部１０４へ導入する。
【００５１】
＜閉状態＞
次に、操作者は、図１、図４（ａ）、図５（ａ）に示したように、表示操作パネル７２を、フィルムロール収容部Ｅの開口部Ｅｐに対して閉状態の位置に移動させる。支持部材８０に設けられた押圧部材１４２によりスイッチ１４１が押圧され、規制部１５０によりフィルムロールセット軸１１０の水平回動動作が規制され、包装部１０４により包装動作可能な状態となる。
【００５２】
以上、説明したように、本発明の実施形態に係る包装装置１００は、装置機枠３内のフィルム引出機構としてのフィルム引出部１０３によりフィルムロールｅから引出されたフィルムを張架し、そのフィルムにより被包装物１の包装を行う包装部１０４を備える。このため、包装装置１００は、包装部１０４により被包装物１の包装を行うことができる。
【００５３】
また、本発明の実施形態に係る包装装置１００は、包装部１０４より上方に設けられ、装置機枠３内に、フィルムロール保持部Ｈにより着脱自在に保持されたフィルムロールｅを収容するとともに、開口部Ｅｐを備えるフィルムロール収容部Ｅと、フィルムロール収容部Ｅの開口部Ｅｐ側に、移動自在に配置された可動式の表示操作パネル７２（表示部７０等）とを有するので、フィルムロール収容部Ｅが、装置機枠３内にフィルムロールｅを収容して、フィルムロールｅへの塵などの付着を防止することができる包装装置１００を提供することができる。
【００５４】
また、上記包装装置１００によれば、包装部１０４による包装動作時、フィルムロール交換時など、表示操作パネル７２（表示部７０等）を適宜移動可能である。このため、フィルムロールｅを容易に交換することができ、且つ、包装装置１００を小型化することができる。
【００５５】
また、例えば、装置の下方にフィルムロールを配置した比較例に係る包装装置では、上方に位置する包装部まで、フィルムを搬送する搬送機構を要し、複雑な構造を有する。
一方、本発明の実施形態に係る包装装置１００は、包装部１０４の上部にフィルムロールｅが水平に配置され、そのフィルムロールｅからフィルムを包装部１０４に搬送する簡単な構造を有する。
【００５６】
また、本発明の実施形態によれば、包装装置１００は、フィルムロール保持部Ｈがフィルムロールセット軸１１０を有する。フィルムロールセット軸１１０は、その一方の端部１１０ｂが装置機枠３の一方の側面側３Ｒに軸支され、開口部側に向けて水平回動自在に構成されているので、フィルムロールｅを容易に交換することができる包装装置１００を提供することができる。また、操作者は、包装装置１００の前面側で、容易にフィルムロールｅを容易に交換することができる。
【００５７】
表示操作パネル７２を操作者の目線位置またはそれより下の位置に配置し、表示操作パネル７２の背面側にフィルムロール収容部Ｅが形成された包装装置１００では、フィルムロール交換時、フィルムロールを目線位置よりも高く持ち上げることなく、フィルムロールｅを容易に交換することができる。
【００５８】
また、本発明の実施形態に係る包装装置１００は、表示操作パネル７２（表示部７０等）が、フィルムロール収容部Ｅの開口部Ｅｐよりも上方に移動自在に設けられている。このため、包装動作時、表示操作パネル７２（表示部７０等）をフィルムロール収容部Ｅの開口部Ｅｐ側に配置し、フィルムロール交換時、表示操作パネル７２（表示部７０等）をその開口部Ｅｐよりも上方に移動させることで、容易にフィルムロールｅを交換することができ、且つ、包装装置１００を小型化することができる。
【００５９】
また、本発明の実施形態に係る包装装置１００は、フィルムロール収容部Ｅの開口部Ｅｐに対する表示操作パネル７２（表示部７０等）の開閉状態を検知する検知部１４０を有し、検知部１４０により表示操作パネル７２（表示部７０等）の開状態が検知された場合、包装部１０４による包装動作を停止する。このため、フィルムロール交換時など、包装装置の操作者が表示部を上方に移動させた場合、検知部１４０により表示部の開状態が検知されて、包装部１０４による包装動作が停止した状態となり、安全に且つ容易にフィルムロールｅを交換することができる包装装置１００を提供することができる。
【００６０】
また、本発明の実施形態に係る包装装置１００は、表示操作パネル７２（表示部７０等）が開口部Ｅｐに対して閉状態となる位置に位置する場合、フィルムロールセット軸１１０の開口部Ｅｐ側に向けた水平回動動作を規制する規制部１５０を有する。
このように、表示操作パネル７２（表示部７０等）が開口部Ｅｐに対して閉状態となる位置に位置する場合、上記規制部１５０がフィルムロールセット軸１１０の水平回動動作を規制することで、包装部１０４による包装動作時など、フィルムロールセット軸を表示部に非接触とすることができる。
【００６１】
また、本発明の実施形態に係る包装装置１００は、表示操作パネル７２（表示部７０等）がフィルムロール収容部Ｅの開口部Ｅｐに対して閉状態となる場合、表示操作パネル７２（表示部７０等）がフィルムロールセット軸１１０の把持部１１０ｄを覆う位置に配置されることを特徴とする。
上記包装装置１００によれば、表示操作パネル７２（表示部７０等）が、フィルムロールセット軸１１０の他端の把持部１１０ｄを覆う位置に配置されるので、包装部１０４による包装動作時など、包装装置１００の操作者がフィルムロールセット軸１１０を誤って動かすことなどを防止することができる。
【００６２】
また、本発明の実施形態に係る包装装置１００は、フィルムロールｅがフィルムロールセット軸１１０にセットされ、フィルムロールｅがフィルムロール収容部Ｅ内に収容された状態で、表示操作パネル７２（表示部７０等）が、フィルム初期セット部材用操作レバー１２０を表示操作パネル７２（表示部７０等）により覆う位置に配置されるので、包装部１０４による包装動作時など、包装装置１００の操作者が、フィルム初期セット部材用操作レバー１２０を誤って動かすことなどを防止することができる。
【００６３】
また、本発明の実施形態に係る包装装置１００において、表示操作パネル７２（表示部７０等）がフィルムロール収容部Ｅの開口部Ｅｐに対して開状態の場合、フィルムロールｅの交換の仕方を示すステッカーなどの説明表示部１７０が露出するように構成されている。このため、操作者がフィルムロールｅを交換する際、表示操作パネル７２を開口部Ｅｐに対して開状態とすると、操作者が説明表示部１７０を見て、フィルム交換の仕方を確認することができる。操作者は、容易にフィルムロールｅの交換を行うことができる。
すなわち、表示操作パネル７２を開状態としたとき、露出したステッカー等の説明表示部１７０により、操作者にフィルムロールｅの交換の仕方を示すことができる包装装置１００を提供することができる。このため、フィルムロールｅの交換の仕方を示す説明書を、指定の場所などに保管する必要がない。また、フィルムロールの交換の仕方を示す専用シートを、包装装置１００の装置機枠３の側面に掛けるなど、装置機枠３の規定位置に配置する必要がない。
【００６４】
以上、本発明の実施形態について図面を参照して詳述してきたが、具体的な構成はこれらの実施形態に限られるものではなく、本発明の要旨を逸脱しない範囲の設計の変更等があっても本発明に含まれる。
また、上述の各図で示した実施形態は、その目的及び構成等に特に矛盾や問題がない限り、互いの記載内容を組み合わせることが可能である。
また、各図の記載内容はそれぞれ独立した実施形態になり得るものであり、本発明の実施形態は各図を組み合わせた一つの実施形態に限定されるものではない。
【００６５】
尚、上記実施形態では、板状の蓋部３ｄが２つの棒状の支持部材８０に固定されていたが、この形態に限られるものではない。板状の蓋部３ｄは、表示操作パネル７２の上下方向に移動したとしても、常に上面が水平面と略同じとなるように装置機枠３に固定されていてもよい。
【符号の説明】
【００６６】
１  被包装物（商品）
２  フィルム
３  装置機枠
３Ｈ  軸受部
３Ｈａ  軸受ローラー
３Ｋ  切欠部
３Ｌ  側面側
３Ｒ  側面側
３ａ  下部
３ｂ  中間部
３ｃ  上部
３ｄ  蓋部
５  計量部
１０  モーター
１３，１４  タイミングベルト
１５  折込み板
１９  ヒーター
２０  左右折込み板
６７  操作部（操作入力部）
７０  表示部
７２  表示操作パネル
８０  支持部材
８０ａ  端部
８０ｂ  端部
８０ｃ  回動軸
１００  包装装置
１０１  搬入部
１０２  搬送部
１０３  フィルム引出部（フィルム引出機構）
１０４  包装部
１０５  取出部
１０６  ヒーター
１１０  フィルムロールセット軸
１１０ａ  端部
１１０ｂ  端部
１１０ｃ  支持用回転軸
１１０ｄ  把持部
１２０  フィルム初期セット部材用操作レバー
１２１  フィルム初期セット部材
１４０  検知部
１４１  スイッチ
１４２  押圧部材
１５０  規制部
１５１  突起部材
１５２  付勢部（ばね部材）
１６０  付勢手段
１７０  説明表示部（ステッカー）
Ａ  被包装物載置台
Ｃ  搬送台
Ｄ  駆動機構
Ｅ  フィルムロール収容部
ｅ  フィルムロール
Ｅｐ  開口部
Ｆ  前側グリッパー
Ｇ  後側グリッパー
Ｈ  フィルムロール保持部
Ｋ  カッター
【図１】
0005974530.tif 000002
【図２】
0005974530.tif 000003
【図３】
0005974530.tif 000004
【図４】
0005974530.tif 000005
【図５】
0005974530.tif 000006